(57)【要約】【課題】停電時に、より長い時間ユーザに明かりを提供できる、又は、ユーザが周囲の状況をより把握できる照明装置を提供する。【解決手段】照明装置２０は、外部から供給される電力で発光する主光源２４と、主光源２４の点灯状態を記憶する点灯状態記憶部２７と、外部から供給される電力を蓄積する蓄電回路２３と、蓄電回路２３からの電力で発光する補助光源２５と、停電を検知する停電検知部２１と、停電検知部２１で停電が検知された場合に、補助光源２５を点灯させる補助光源制御部２６とを備え、補助光源制御部２６は、停電検知部２１で停電が検知された場合、点灯状態記憶部２７に記憶されている点灯状態に応じて、（１）停電発生から補助光源２５を点灯するまでの時間、又は、（２）補助光源２５の明るさ、を決定する。【選択図】図２
2015103286.tif 000002
【特許請求の範囲】
【請求項１】
外部から供給される電力で発光する主光源と、
前記主光源の点灯状態を記憶する点灯状態記憶部と、
前記外部から供給される電力を蓄積する蓄電回路と、
前記蓄電回路からの電力で発光する補助光源と、
停電を検知する停電検知部と、
前記停電検知部で停電が検知された場合に、前記補助光源を点灯させる補助光源制御部とを備え、
前記補助光源制御部は、前記停電検知部で停電が検知された場合、前記点灯状態記憶部に記憶されている前記点灯状態に応じて、（１）停電発生から前記補助光源を点灯するまでの時間、又は、（２）前記補助光源の明るさ、を決定する
照明装置。
【請求項２】
前記主光源の点灯状態は、当該主光源が点灯されているか否かであり、
前記補助光源制御部は、前記停電検知部で停電が検知された場合において、
前記主光源が点灯されていない場合、停電が検知されてから第１時間経過後に前記補助光源を点灯し、
前記主光源が点灯されていた場合、停電が検知されてから、前記第１時間より長い第２時間経過後に前記補助光源を点灯する
請求項１記載の照明装置。
【請求項３】
前記補助光源制御部は、前記停電検知部で停電が検知された場合において、
前記主光源が点灯されていない場合、停電が検知されてから前記第１時間経過後に、前記補助光源を第１の明るさで点灯し、
前記主光源が点灯されていた場合、停電が検知されてから前記第３時間経過後に、前記補助光源を前記第１の明るさより暗い第２の明るさで点灯し、停電が検知されてから、前記第１時間及び前記第３時間より長い前記第２時間経過後に、前記補助光源を前記第２の明るさより明るい第３の明るさで点灯する
請求項２記載の照明装置。
【請求項４】
前記第２時間は３秒以上である
請求項２又は３記載の照明装置。
【請求項５】
前記主光源の点灯状態は、当該主光源の明るさであり、
前記補助光源制御部は、前記停電検知部で停電が検知された場合において、
前記主光源の明るさが第１の明るさである場合、停電が検知されてから第１時間経過後に前記補助光源を点灯し、
前記主光源の明るさが前記第１の明るさより明るい第２の明るさである場合、停電が検知されてから、前記第１時間より長い第２時間経過後に前記補助光源を点灯する
請求項１記載の照明装置。
【請求項６】
前記主光源の点灯状態は、当該主光源の明るさであり、
前記補助光源制御部は、前記停電検知部で停電が検知された場合において、
前記主光源の明るさが第１の明るさである場合、前記補助光源を第２の明るさで点灯し、
前記主光源の明るさが前記第１の明るさより明るい第３の明るさである場合、前記補助光源を前記第２の明るさより暗い第４の明るさで点灯する
請求項１記載の照明装置。
【請求項７】
前記照明装置は、さらに、明るさを検知する照度センサを備え、
前記補助光源制御部は、前記照度センサにより予め定められた明るさ以上の明るさが検知されている場合、前記停電検知部で停電が検知された場合であっても、前記補助光源を点灯しない
請求項１〜６のいずれか１項に記載の照明装置。
【発明の詳細な説明】
【技術分野】
【０００１】
本発明は、照明装置に関する。
【背景技術】
【０００２】
近年、シーリングライト等の照明装置が普及している。一方で、停電時に点灯する停電用保安灯が知られている（例えば、特許文献１参照）。特許文献１記載の停電用保安灯は、商用電源の通電時にコンデンサを充電し、停電時に、このコンデンサの放電電流によりＬＥＤ（Ｌｉｇｈｔ  Ｅｍｉｔｔｉｎｇ  Ｄｉｏｄｅ）を点灯する。
【先行技術文献】
【特許文献】
【０００３】
【特許文献１】特開２００９−１０４７９２号公報
【発明の概要】
【発明が解決しようとする課題】
【０００４】
このような照明装置では、停電時に、より長い時間ユーザに明かりを提供できること、及び、ユーザが周囲の状況をより把握できることが望まれている。
【０００５】
そこで、本発明は、停電時に、より長い時間ユーザに明かりを提供できる、又は、ユーザが周囲の状況をより把握できる照明装置を提供することを目的とする。
【課題を解決するための手段】
【０００６】
上記目的を達成するために、本発明の一態様に係る照明装置は、外部から供給される電力で発光する主光源と、前記主光源の点灯状態を記憶する点灯状態記憶部と、前記外部から供給される電力を蓄積する蓄電回路と、前記蓄電回路からの電力で発光する補助光源と、停電を検知する停電検知部と、前記停電検知部で停電が検知された場合に、前記補助光源を点灯させる補助光源制御部とを備え、前記補助光源制御部は、前記停電検知部で停電が検知された場合、前記点灯状態記憶部に記憶されている前記点灯状態に応じて、（１）停電発生から前記補助光源を点灯するまでの時間、又は、（２）前記補助光源の明るさ、を決定する。
【０００７】
例えば、前記主光源の点灯状態は、当該主光源が点灯されているか否かであり、前記補助光源制御部は、前記停電検知部で停電が検知された場合において、前記主光源が点灯されていない場合、停電が検知されてから第１時間経過後に前記補助光源を点灯し、前記主光源が点灯されていた場合、停電が検知されてから、前記第１時間より長い第２時間経過後に前記補助光源を点灯してもよい。
【０００８】
例えば、前記補助光源制御部は、前記停電検知部で停電が検知された場合において、前記主光源が点灯されていない場合、停電が検知されてから前記第１時間経過後に、前記補助光源を第１の明るさで点灯し、前記主光源が点灯されていた場合、停電が検知されてから前記第３時間経過後に、前記補助光源を前記第１の明るさより暗い第２の明るさで点灯し、停電が検知されてから、前記第１時間及び前記第３時間より長い前記第２時間経過後に、前記補助光源を前記第２の明るさより明るい第３の明るさで点灯してもよい。
【０００９】
例えば、前記第２時間は３秒以上であってもよい。
【００１０】
例えば、前記主光源の点灯状態は、当該主光源の明るさであり、前記補助光源制御部は、前記停電検知部で停電が検知された場合において、前記主光源の明るさが第１の明るさである場合、停電が検知されてから第１時間経過後に前記補助光源を点灯し、前記主光源の明るさが前記第１の明るさより明るい第２の明るさである場合、停電が検知されてから、前記第１時間より長い第２時間経過後に前記補助光源を点灯してもよい。
【００１１】
例えば、前記主光源の点灯状態は、当該主光源の明るさであり、前記補助光源制御部は、前記停電検知部で停電が検知された場合において、前記主光源の明るさが第１の明るさである場合、前記補助光源を第２の明るさで点灯し、前記主光源の明るさが前記第１の明るさより明るい第３の明るさである場合、前記補助光源を前記第２の明るさより暗い第４の明るさで点灯してもよい。
【００１２】
例えば、前記照明装置は、さらに、明るさを検知する照度センサを備え、前記補助光源制御部は、前記照度センサにより予め定められた明るさ以上の明るさが検知されている場合、前記停電検知部で停電が検知された場合であっても、前記補助光源を点灯しなくてもよい。
【発明の効果】
【００１３】
本発明は、停電時に、より長い時間ユーザに明かりを提供できる、又は、ユーザが周囲の状況をより把握できる照明装置を提供できる。
【図面の簡単な説明】
【００１４】
【図１】本発明の実施の形態１に係る照明装置の構成を示す図である。
【図２】本発明の実施の形態１に係る照明装置のブロック図である。
【図３】本発明の実施の形態１に係る停電検知部による停電検知の原理の一例を示す図である。
【図４Ａ】本発明の実施の形態１に係る、停電時の補助光源の点灯状態を示す図である。
【図４Ｂ】本発明の実施の形態１に係る、停電時の補助光源の点灯状態を示す図である。
【図５】本発明の実施の形態１に係る補助光源制御部の回路図である。
【図６】本発明の実施の形態１に係る照明装置の動作を示すフローチャートである。
【図７】本発明の実施の形態２に係る、停電時の補助光源の点灯状態を示す図である。
【図８】本発明の実施の形態２に係る照明装置の動作を示すフローチャートである。
【図９】本発明の実施の形態２に係る補助光源制御部のブロック図である。
【図１０Ａ】本発明の実施の形態３に係る、停電時の補助光源の点灯状態を示す図である。
【図１０Ｂ】本発明の実施の形態３に係る、停電時の補助光源の点灯状態を示す図である。
【図１１】本発明の実施の形態３に係る照明装置の動作を示すフローチャートである。
【図１２Ａ】本発明の実施の形態４に係る、停電時の補助光源の点灯状態を示す図である。
【図１２Ｂ】本発明の実施の形態４に係る、停電時の補助光源の点灯状態を示す図である。
【図１３】本発明の実施の形態４に係る照明装置の動作を示すフローチャートである。
【図１４Ａ】本発明の実施の形態４の変形例に係る、停電時の補助光源の点灯状態を示す図である。
【図１４Ｂ】本発明の実施の形態４の変形例に係る、停電時の補助光源の点灯状態を示す図である。
【図１５】本発明の実施の形態５に係る照明装置のブロック図である。
【図１６】本発明の実施の形態５に係る照明装置の動作を示すフローチャートである。
【発明を実施するための形態】
【００１５】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１６】
（実施の形態１）
本実施の形態に係る照明装置２０は、停電時に補助光源２５を点灯する。また、照明装置２０は、停電が発生してから予め定められた時間が経過した後に補助光源２５を点灯する。ここで、人間の目は、暗い状況においては少ない光を検知できるように順応する性質（暗順応）を有する。よって、停電時に、直ちに補助光源２５を点灯するのではなく、人の目が暗さになれたころに補助光源２５を点灯することにより、ユーザは、同じ明るさであっても周囲の状況をより把握できる。または、ユーザが、より暗い光でも周囲の状況を把握できるので、補助光源２５の明るさを抑えることができる。これにより、長時間、補助光源２５を点灯することができる。
【００１７】
まず、本実施の形態に照明装置２０の構成を説明する。図１は、本実施の形態に係る照明装置２０の構成を説明するための図である。図１に示す照明システムは、照明装置２０と、照明装置２０を制御するリモコン３０とを備える。
【００１８】
照明装置２０は、リモコン３０によって点灯、消灯及び明るさの調光が制御され、例えば、部屋に設けられるシーリングライトである。リモコン３０は、照明装置２０を制御するための携帯型の操作装置である。
【００１９】
照明装置２０は、主光源２４と、補助光源２５と、リモコン受信部２８と、操作ボタン２９と、常夜灯３２とを備える。なお、各構成要素の配置位置は一例であり、これらの配置は図１に示す例に限定されない。また、照明装置２０は、これらの構成要素の一部を備えなくてもよい。
【００２０】
図２は、図１に示された照明装置２０の構成を示すブロック図である。この照明装置２０は、商用交流電源１１に接続されて動作する。この照明装置２０は、停電検知部２１、電源回路２２、蓄電回路２３、主光源２４、補助光源２５、補助光源制御部２６、点灯状態記憶部２７、及び主光源制御部３３を備える。
【００２１】
停電検知部２１は、停電を検知する検出回路であり、商用交流電源１１からの交流電力の供給が絶たれたことを検知する。図３は、停電検知部２１による停電検知の原理の一例を示す図である。いま、商用交流電源１１からの交流電力が、部屋の壁等に設けられた電源スイッチＳＷを介して、電源回路２２が有するトランスＴｒに供給されているとする。停電検知部２１は、トランスＴｒの一次側に供給される電圧、つまり、商用交流電源１１からの交流電圧を直接監視し、そこに一定の閾値以上の電圧が発生していない場合に停電が発生していると検知する回路であり、比較回路、又は、スイッチ回路等で構成される。なお、この停電検知部２１は、停電が発生しているときには、電力を必要としない信号状態（例えば、グランド電位）を出力するように構成され、停電中であっても電力を必要とすることなく、停電を知らせる信号状態を出力し続ける。また、この停電検知部２１は、「停電中」という状態を知らせる信号を出力するので、停電からの復帰（復電）の検知にも用いられる。
【００２２】
なお、停電検知の方法は、上記に限定されず、停電検知部２１は、電源スイッチＳＷより後段の交流電圧、電源回路２２の内部の交流或いは直流電圧、又は、電源回路２２により生成された直流電圧を監視してもよい。なお、これらの場合には、電源スイッチＳＷの切断と、停電とを区別することはできない。また、停電検知部２１は、電圧ではなく電流を監視してもよい。つまり、停電検知部２１は、照明装置２０に外部（商用交流電源１１）から電力が供給されているか否かを検知する。
【００２３】
電源回路２２は、商用交流電源１１からの交流電力を直流電力に変換し、得られた直流電力を蓄電回路２３及び主光源制御部３３に供給する回路である。
【００２４】
蓄電回路２３は、電源回路２２から供給された直流電力を蓄電し、停電時に、補助光源制御部２６に電力を供給する。この蓄電回路２３は、例えば、電解コンデンサ等から構成される。なお、蓄電回路２３は、商用交流電源１１からの交流電力、又は、商用交流電源１１からの交流電力を直流電力に変換する他の電源回路（図示せず）で生成された直流電力を蓄積してもよい。
【００２５】
主光源２４は、この照明装置２０の主要な光源であり、例えば、蛍光灯、白熱灯、及び、ＬＥＤ（Ｌｉｇｈｔ  Ｅｍｉｔｔｉｎｇ  Ｄｉｏｄｅ）のいずれか、又は、それらの組み合わせで構成される。この主光源２４は、電源回路２２から供給される電力で発光する光源であり、停電時、上記電源スイッチＳＷが切断されたとき、又は、リモコン３０による消灯の操作がなされたとき、消灯する。
【００２６】
主光源制御部３３は、電源回路２２からの電力を用いて主光源２４の発光を制御する。具体的には、主光源制御部３３は、リモコン３０の操作に応じて、主光源２４の点灯、消灯、及び明るさを制御する。
【００２７】
補助光源２５は、主光源２４が発光できない場合に補助的に発光する光源であり、例えば、ＬＥＤ等である。この補助光源２５は、本実施の形態では、補助光源制御部２６による制御の下で、蓄電回路２３から供給される電力で発光するので、停電時、及び、上記電源スイッチＳＷが切断された時であっても点灯し得る。ただし、本実施の形態では、補助光源２５は、蓄電回路２３が有するコンデンサ等に一時的に蓄積された電力によって発光するので、発光を継続した場合には、その輝度が徐々に低下していき、一定時間後（例えば、２〜３分後）に消灯する。
【００２８】
点灯状態記憶部２７は、停電が発生した直前の主光源２４の点灯状態を記憶する。ここで点灯状態とは、主光源２４が点灯されているか否かである。なお、点灯状態記憶部２７は、点灯状態として、さらに、主光源２４が点灯されている際の主光源２４の明るさを示す情報を記憶してもよい。具体的には、点灯状態記憶部２７は、リモコン３０の操作により設定された、主光源２４の点灯或いは消灯の状態、及び、点灯時の明るさを示す情報を記憶する。
【００２９】
補助光源制御部２６は、停電時に蓄電回路２３からの電力を用いて補助光源２５の発光を制御する。具体的には、補助光源制御部２６は、点灯状態記憶部２７に記憶されている、停電直前の主光源２４の点灯状態に応じて、停電発生から補助光源２５を点灯するまでの時間を切り替える。より具体的には、図４Ａに示すように、補助光源制御部２６は、主光源２４が点灯されていた場合には、停電発生から予め定められた時間Ｔ１が経過した後の時刻ｔ１に補助光源２５を点灯する。
【００３０】
ここで、人間の目は、暗い状況においては少ない光を検知できるように順応する性質（暗順応）を有する。よって、停電時に、直ちに補助光源２５を点灯するのではなく、一端、暗い状態にすることにより、人の目が暗さになれる。その後、補助光源２５を点灯することにより、ユーザは、同じ明るさであっても周囲の状況をより把握できる。または、ユーザが、より暗い光でも周囲の状況を把握できるので、補助光源２５の明るさを抑えることができる。これにより、長時間、補助光源２５を点灯することができる。
【００３１】
具体的には、暗順応は、最初の２〜３分は急速に、その後の５〜６分はややゆっくりと感度が変化する。また、本発明者は、実験により、上記のように、補助光源２５の点灯を遅らせることにより、暗順応がより早く行われることを確認した。なお、暗い時間が長いほど暗順応は進むが、長時間暗い状態が続いた場合、長時間ユーザの行動が阻害される。よって、例えば、時間Ｔ１は、数秒〜十数秒程度である。また、時間Ｔ１は、３秒以上であることが好ましく、５〜１０秒程度がより好ましい。
【００３２】
一方、図４Ｂに示すように、補助光源制御部２６は、主光源２４が点灯されていない場合、停電発生後、直ちに補助光源２５を点灯する。これは、主光源２４が点灯されていない状態では、既に暗順応が行われており、補助光源２５の点灯を遅らせても、上記の効果がないためである。また、主光源２４が消灯している状態とは、例えば、ユーザが睡眠中である夜中である場合が想定される。このような場合に、地震等により停電が発生した場合において、直ちに補助光源２５が点灯されることにより、ユーザは、直ちに周囲の状況を把握することができる。
【００３３】
次に、補助光源制御部２６の構成例を説明する。図５は、補助光源制御部２６の構成を示す回路図である。図５に示すように、補助光源制御部２６は、補助光源２５を駆動する（電力を供給する）駆動回路２６ｂと、駆動回路２６ｂを制御する制御部２６ａとを含む。制御部２６ａは、例えば、制御プログラムを格納したメモリ、タイマー、Ａ／Ｄ及びＤ／Ａ変換器等を内蔵するマイクロコンピュータ等で構成される。
【００３４】
駆動回路２６ｂは、トランジスタＴＲ１及びＴＲ２と、抵抗Ｒ１〜Ｒ３とを含む。なお、抵抗Ｒ２及びＲ３は補助光源２５に供給される電流を制御するためのものなので、駆動回路２６ｂは、これらの抵抗Ｒ２及びＲ３の一方又は両方を備えなくてもよい。
【００３５】
通常の状態（停電でない状態）において、制御部２６ａは、Ｈレベル（ハイレベル）の信号をトランジスタＴＲ１に出力している。これにより、トランジスタＴＲ１はオンし、それにより、トランジスタＴＲ２はオフする。よって、補助光源２５に電力が供給されず、補助光源２５は発光しない。
【００３６】
停電発生時において、制御部２６ａは、停電検知部２１からの通知に応じて、トランジスタＴＲ１に供給する信号をＨレベルからＬレベル（ローレベル）に変化させる。これにより、トランジスタＴＲ１はオフし、それにより、トランジスタＴＲ２はオンする。よって、補助光源２５に電力が供給され、補助光源２５が発光する。
【００３７】
また、上述したように制御部２６ａは、停電直前の主光源２４の点灯状態に応じて、トランジスタＴＲ１に供給する信号をＨレベルからＬレベルに変化させるタイミングを切り替える。
【００３８】
また、停電中においても動作する必要がある回路（補助光源制御部２６及び点灯状態記憶部２７）は、蓄電回路２３、照明装置２０が備える他の蓄電回路（図示せず）、及び、照明装置２０に内蔵されている電池等のバッテリー（図示せず）のうち少なくとも一つからの電力の供給を受けて動作する。例えば、図５に示すように、駆動回路２６ｂには、蓄電回路２３から電力が供給される。また、制御部２６ａは、少なくとも停電開始から補助光源２５を点灯するまでの時間（数秒程度）、動作する必要があるので、例えば、この期間において、他の蓄電回路（例えばコンデンサ）からの電力で動作する。また、電源が制御部２６ａに供給されていない状態において、制御部２６ａの出力はＬレベル又はハイインピーダンス状態になる。この状態では、図５に示す、トランジスタＴＲ１はオフし、トランジスタＴＲ２がオンするので、制御部２６ａに電源が供給されなくても、補助光源２５に電力が供給され続ける。
【００３９】
次に、以上のように構成された照明装置２０の動作の流れを説明する。
【００４０】
図６は、本実施の形態に係る照明装置２０の動作を示すフローチャートである。ここでは、停電時における照明装置２０の動作手順が示されている。
【００４１】
照明装置２０の補助光源制御部２６は、停電検知部２１で停電が検知されると（Ｓ１０でＹｅｓ）、点灯状態記憶部２７に記憶されている、停電直前の主光源２４の点灯状態を確認する（Ｓ１１）。主光源２４が点灯している場合（Ｓ１１でＹｅｓ）、補助光源制御部２６は、予め定められた時間、待機する。次に、補助光源制御部２６は、当該時間が経過したことを内蔵のタイマー等によって確認した後に（Ｓ１２でＹｅｓ）、補助光源２５を点灯する（Ｓ１３）。なお、待機時間が経過したことを判定する方法は、タイマー等を用いる方法に限らない。例えば、容量素子の充放電で時間の経過を判定するアナログ回路が用いられてもよい。
【００４２】
一方、主光源２４が消灯している場合（Ｓ１１でＮｏ）、補助光源制御部２６は、時間の経過を待たずに、直ちに補助光源２５を点灯する（Ｓ１３）。
【００４３】
なお、ここでは、主光源２４が消灯している場合、補助光源制御部２６は、直ちに補助光源２５を点灯するが、第１時間経過後に補助光源２５を点灯してもよい。この第１時間は、主光源２４が点灯している場合に補助光源２５が点灯されるまでの時間より短ければよい。
【００４４】
また、主光源２４が消灯している場合と、点灯している場合とで、補助光源２５の明るさ（補助光源２５に供給される電力（電流値））が異なってもよい。
【００４５】
以上のように、本実施の形態に係る照明装置２０は、外部から供給される電力で発光する主光源２４と、主光源２４の点灯状態を記憶する点灯状態記憶部２７と、外部から供給される電力を蓄積する蓄電回路２３と、蓄電回路２３からの電力で発光する補助光源２５と、停電を検知する停電検知部２１と、停電検知部２１で停電が検知された場合に、補助光源２５を点灯させる補助光源制御部２６とを備える。補助光源制御部２６は、停電検知部２１で停電が検知された場合、点灯状態記憶部２７に記憶されている点灯状態に応じて、停電発生から補助光源２５を点灯するまでの時間を決定する。
【００４６】
具体的には、主光源２４の点灯状態は、当該主光源が点灯されているか否かであり、補助光源制御部２６は、停電検知部２１で停電が検知された場合において、主光源２４が点灯されていない場合、停電が検知されてから第１時間経過後に補助光源２５を点灯し、主光源２４が点灯されていた場合、停電が検知されてから、第１時間より長い第２時間経過後に補助光源２５を点灯する。
【００４７】
これにより、照明装置２０は、人の目が暗さになれたころに補助光源２５を点灯できるので、ユーザは、同じ明るさであっても周囲の状況をより把握できる。または、ユーザが、より暗い光でも周囲の状況を把握できるので、補助光源２５の明るさを抑えることができる。これにより、長時間、補助光源２５を点灯することができる。
【００４８】
また、上記第２時間は３秒以上であってもよい。
【００４９】
これにより、ユーザの暗順応を進めることができる。
【００５０】
（実施の形態２）
本実施の形態では、上記実施の形態１の変形例について説明する。上記実施の形態１では、主光源２４が点灯している場合に、所定期間の間、補助光源２５が点灯されない。これにより、一時的にではあるが、ユーザが真っ暗な状態におかれてしまうという問題がある。一方で、本実施の形態に係る照明装置２０は、上記所定期間の間、補助光源２５が弱く点灯する。これにより、ユーザが真っ暗な状態におかれてしまうことを回避できるとともに、暗順応を進めることができる。
【００５１】
図７は、停電時において主光源２４が点灯している場合の、補助光源２５の明るさを示す図である。図７に示すように、補助光源制御部２６は、主光源２４が点灯されていた場合には、まず、補助光源２５を、第１の明るさで点灯する。次に、補助光源制御部２６は、停電発生から予め定められた時間Ｔ１が経過した後の時刻ｔ１に、補助光源２５を第１の明るさより明るい第２の明るさで点灯する。つまり、補助光源制御部２６は、時刻ｔ１に、補助光源２５の明るさを上げる。
【００５２】
なお、停電時において主光源２４が消灯している場合の動作は実施の形態１（図４Ｂ）と同様である。また、時間Ｔ１の長さは、例えば、実施の形態１と同様である。
【００５３】
次に、以上のように構成された照明装置２０の動作の流れを説明する。図８は、本実施の形態に係る照明装置２０の動作を示すフローチャートである。
【００５４】
照明装置２０の補助光源制御部２６は、停電検知部２１で停電が検知されると（Ｓ２０でＹｅｓ）、点灯状態記憶部２７に記憶されている、停電直前の主光源２４の点灯状態を確認する（Ｓ２１）。
【００５５】
主光源２４が点灯している場合（Ｓ２１でＹｅｓ）、補助光源制御部２６は、補助光源２５を第１の明るさで点灯する（Ｓ２２）。次に、補助光源制御部２６は、予め定められた時間、待機した後に（Ｓ２３でＹｅｓ）、補助光源２５を、第１の明るさより明るい第２の明るさで点灯する（Ｓ２４）。
【００５６】
一方、主光源２４が消灯している場合（Ｓ２１でＮｏ）、補助光源制御部２６は、時間の経過を待たずに、直ちに補助光源２５を第２の明るさで点灯する（Ｓ２４）。
【００５７】
以下、上記制御を実現する補助光源制御部２６の構成例を説明する。例えば、図５に示す構成において、制御部２６ａは、トランジスタＴＲ１に供給する信号をＰＷＭ（Ｐｕｌｓｅ  Ｗｉｄｔｈ  Ｍｏｄｕｌａｔｉｏｎ）制御することで、補助光源２５を第１の明るさ及び第２の明るさで発光させる。具体的には、制御部２６ａは、停電発生後の期間Ｔ１において、トランジスタＴＲ１がオフする期間の割合を下げることで、補助光源２５に供給される電力を小さくする。また、制御部２６ａは、期間Ｔ１後には、実施の形態１と同様に、Ｌレベルを出力する（又はハイインピーダンス出力）。
【００５８】
このような構成により、図７に示す制御を実現できる。また、制御部２６ａには、実施の形態１と同様に、少なくとも期間Ｔ１の間のみ電力が供給されれば、上記動作を実現できる。
【００５９】
別の方法として、図９に示すように、補助光源制御部２６は、２つの駆動回路２６ｂ及び２６ｃを備えてもよい。例えば、駆動回路２６ｂ及び２６ｃの各々の構成は、図５に示す駆動回路２６ｂの構成と同様である。この構成において、制御部２６ａは、一方の駆動回路のみを動作させる状態と、両方の駆動回路を動作させる状態とを切り替えることで、補助光源２５の明るさを切り替えることができる。なお、制御部２６ａは、２つの駆動回路２６ｂ及び２６ｃの一方のみを選択的に動作させ、動作させる駆動回路を切り替えることで、補助光源２５の明るさを切り替えてもよい。この場合、２つの駆動回路２６ｂ及び２６ｃが補助光源２５に供給する電力は異なる。例えば、図５に示す抵抗Ｒ２及びＲ３の少なくとも一方の抵抗値が変更されることで、駆動回路が補助光源２５に供給する電力が変更される。
【００６０】
なお、上記説明では、主光源２４が消灯している場合、補助光源制御部２６は、直ちに補助光源２５を点灯するが、第１時間経過後に補助光源２５を点灯してもよい。この第１時間は、主光源２４が点灯している場合に補助光源２５が点灯されるまでの時間より短ければよい。同様に、上記説明では、主光源２４が点灯している場合、補助光源制御部２６は、直ちに補助光源２５を第１の明るさで点灯するが、第２時間経過後に補助光源２５を第１の明るさで点灯してもよい。ここで、第１時間と第２時間とは同じでもよいし、異なってもよい。
【００６１】
また、主光源２４が消灯している場合に補助光源２５の明るさ（補助光源２５に供給される電力（電流値））と、点灯している場合の時間Ｔ１経過後の補助光源２５の明るさは同じであってもよいし、異なってもよい。なお、この明るさが異なる場合には、明るさを３段階で切り替える必要があるが、上記のＰＷＭ制御、又は駆動回路を複数設けることで、この制御を実現可能である。
【００６２】
以上のように、補助光源制御部２６は、停電検知部２１で停電が検知された場合において、主光源２４が点灯されていない場合、停電が検知されてから第１時間経過後に、補助光源２５を第１の明るさで点灯し、主光源２４が点灯されていた場合、停電が検知されてから第３時間経過後に、補助光源２５を第１の明るさより暗い第２の明るさで点灯し、停電が検知されてから、第１時間及び第３時間より長い第２時間経過後に、補助光源２５を第２の明るさより明るい第３の明るさで点灯する。
【００６３】
（実施の形態３）
本実施の形態では、上記実施の形態１の変形例について説明する。本実施の形態では、照明装置２０は、停電直前の主光源２４の明るさに応じて、補助光源２５を点灯するまでの時間を切り替える。
【００６４】
本実施の形態では、点灯状態記憶部２７は、主光源２４の点灯状態として、主光源２４の明るさを示す情報を記憶している。なお、点灯状態記憶部２７は、主光源２４が点灯しているか否かを示す情報と、主光源２４の明るさを示す情報とを共に記憶してもよい。
【００６５】
図１０Ａは、停電直前の主光源２４の明るさがＬ１である場合の補助光源２５が点灯されるタイミングを示す図である。図１０Ｂは、停電直前の主光源２４の明るさがＬ１より明るいＬ２である場合の補助光源２５が点灯されるタイミングを示す図である。
【００６６】
図１０Ａに示すように、補助光源制御部２６は、停電直前の主光源２４の明るさがＬ１である場合、時刻ｔ１から補助光源２５を点灯する。また、図１０Ｂに示すように、補助光源制御部２６は、停電直前の主光源２４の明るさがＬ１より明るい明るさＬ２である場合、時刻ｔ１より後の時刻ｔ２から補助光源２５を点灯する。
【００６７】
ここで、ユーザが、より明るい状態におかれているほどユーザの暗順応が遅れる。つまり、停電直前の明るさに応じて、ユーザの暗順応の度合いが異なってしまう。よって、本実施の形態に係る照明装置２０は、停電直前の状態が明るいほど、補助光源２５が点灯されるまでの時間を長くする。これにより、停電直前の状態に応じてユーザの暗順応の度合いが異なることを抑制できる。
【００６８】
次に、以上のように構成された照明装置２０の動作の流れを説明する。図１１は、本実施の形態に係る照明装置２０の動作を示すフローチャートである。
【００６９】
照明装置２０の補助光源制御部２６は、停電検知部２１で停電が検知されると（Ｓ３０でＹｅｓ）、点灯状態記憶部２７に記憶されている、停電直前の主光源２４の点灯状態（明るさ）を確認する（Ｓ３１）。
【００７０】
主光源２４の明るさが予め定められた閾値以上の場合（Ｓ３１でＹｅｓ）、補助光源制御部２６は、予め定められた第１時間、待機した後に（Ｓ３２でＹｅｓ）、補助光源２５を点灯する（Ｓ３４）。
【００７１】
一方、主光源２４の明るさが上記閾値未満の場合（Ｓ３１でＮｏ）、補助光源制御部２６は、第１時間より短い第２時間、待機した後に（Ｓ３３でＹｅｓ）、補助光源２５を点灯する（Ｓ３４）。
【００７２】
なお、ここでは、主光源２４の明るさに応じて、２つの待機時間が切り替えられているが、３つ以上の待機時間が切り替えられてもよい。この場合、主光源２４の明るさが明るいほど、待機時間は長く設定される。
【００７３】
また、主光源２４の明るさは、主光源２４が点灯されていない状態を含んでもよい。または、上記説明の動作に加え、実施の形態１で説明した処理が行われてもよい。
【００７４】
また、ここでは、実施の形態１と同様に、所定時間が経過後に補助光源２５が点灯される場合の例を元に説明したが、実施の形態２と同様に、所定時間が経過後に補助光源２５の明るさを上げる場合にも、本実施の形態の処理を適用できる。つまり、照明装置２０は、停電直前の主光源２４の明るさに応じて、補助光源２５の明るさを上げるタイミングを切り替えてもよい。具体的には、主光源２４の明るさが明るいほど、補助光源２５の明るさを上げるタイミングが遅く設定される。
【００７５】
以上のように、主光源２４の点灯状態は、当該主光源２４の明るさであり、補助光源制御部２６は、停電検知部２１で停電が検知された場合において、主光源２４の明るさが第１の明るさである場合、停電が検知されてから第１時間経過後に補助光源２５を点灯し、主光源２４の明るさが第１の明るさより明るい第２の明るさである場合、停電が検知されてから、第１時間より長い第２時間経過後に補助光源２５を点灯する。
【００７６】
これにより、停電直前の状態に応じてユーザの暗順応の度合いが異なることを抑制できる。
【００７７】
（実施の形態４）
本実施の形態では、上記実施の形態２の変形例について説明する。本実施の形態では、照明装置２０は、停電直前の主光源２４の明るさに応じて、停電直後の補助光源２５の明るさ（補助光源２５に供給される電力（電流値））を切り替える。
【００７８】
図１２Ａは、停電直前の主光源２４の明るさがＬ１である場合の、補助光源２５の明るさを示す図である。図１２Ｂは、停電直前の主光源２４の明るさが、明るさがＬ１より明るいＬ２である場合の、補助光源２５の明るさを示す図である。
【００７９】
図１２Ａに示すように、補助光源制御部２６は、停電直前の主光源２４の明るさがＬ１である場合、明るさＬ３で補助光源２５を点灯する。また、図１２Ｂに示すように、補助光源制御部２６は、停電直前の主光源２４の明るさがＬ１より明るい明るさＬ２である場合、明るさＬ３より暗い明るさＬ４で補助光源２５を点灯する。
【００８０】
ここで、ユーザが、より明るい状態におかれているほどユーザの暗順応が遅れる。よって、本実施の形態に係る照明装置２０は、停電直前の状態が明るいほど、補助光源２５の明るさを暗くする（補助光源２５に供給される電力（電流値）を小さくする）。これにより、停電直前の状態に応じてユーザの暗順応の度合いが異なることを抑制できる。
【００８１】
なお、停電時において主光源２４が消灯している場合の動作は実施の形態１（図４Ｂ）と同様である。
【００８２】
次に、以上のように構成された照明装置２０の動作の流れを説明する。図１３は、本実施の形態に係る照明装置２０の動作を示すフローチャートである。
【００８３】
照明装置２０の補助光源制御部２６は、停電検知部２１で停電が検知されると（Ｓ４０でＹｅｓ）、点灯状態記憶部２７に記憶されている、停電直前の主光源２４の点灯状態を確認する（Ｓ４１及びＳ４２）。
【００８４】
主光源２４が点灯しており、かつ、明るさが予め定められた閾値以上の場合（Ｓ４１でＹｅｓ、かつ、Ｓ４２でＹｅｓ）、補助光源制御部２６は、補助光源２５を第１の明るさで点灯する（Ｓ４３）。次に、補助光源制御部２６は、予め定められた時間、待機した後に（Ｓ４５でＹｅｓ）、補助光源２５を、第１の明るさより明るい第３の明るさで点灯する（Ｓ４６）。
【００８５】
一方、主光源２４が点灯しており、かつ、明るさが上記閾値未満の場合（Ｓ４１でＹｅｓ、かつ、Ｓ４２でＮｏ）、補助光源制御部２６は、補助光源２５を、第１の明るさより明るい第２の明るさで点灯する（Ｓ４４）。次に、補助光源制御部２６は、予め定められた時間、待機した後に（Ｓ４５でＹｅｓ）、補助光源２５を、第２の明るさより明るい第３の明るさで点灯する（Ｓ４６）。
【００８６】
一方、主光源２４が消灯している場合（Ｓ４１でＮｏ）、補助光源制御部２６は、時間の経過を待たずに、直ちに補助光源２５を第３の明るさで点灯する（Ｓ２４）。
【００８７】
なお、ここでは、主光源２４の明るさに応じて、補助光源２５の２つの明るさが切り替えられているが、３つ以上の明るさが切り替えられてもよい。この場合、主光源２４の明るさが明るいほど、補助光源２５の明るさは暗く設定される。
【００８８】
また、ここでは、停電直前の主光源２４の明るさに応じて停電直後の補助光源２５の明るさが切り替えられる例を説明したが、所定時間経過後（時刻ｔ１以降）の補助光源２５の明るさが、同様に切り替えられてもよい。同様に、実施の形態１で説明した動作（図４）において、停電直前の主光源２４の明るさに応じて補助光源２５の明るさが切り替えられてもよい。さらに、本実施の形態の動作を実施の形態３の動作と組み合わせ、停電直前の主光源２４の明るさに応じて、補助光源２５が点灯されるタイミング及び補助光源２５の明るさの両方が切り替えられてもよい。いずれの場合において、本実施の形態で説明したように、主光源２４が明るいほど、補助光源２５は暗く設定される。
【００８９】
さらに、図１４Ａ及び図１４Ｂに示すように、照明装置２０は、主光源２４の点灯状態に応じて、補助光源２５が点灯されるタイミングを切り替えず、補助光源２５の明るさのみを切り替えてもよい。具体的には、図１４Ａに示すように、補助光源制御部２６は、停電直前の主光源２４の明るさがＬ１である場合、明るさＬ５で補助光源２５を点灯する。また、図１４Ｂに示すように、補助光源制御部２６は、停電直前の主光源２４の明るさがＬ１より明るい明るさＬ２である場合、明るさＬ５より暗い明るさＬ６で補助光源２５を点灯する。
【００９０】
なお、補助光源２５の明るさを切り替える方法としては、例えば、実施の形態２で説明したＰＷＭ制御を用いる方法又は複数の駆動回路を用いる方法を用いることができる。
【００９１】
以上のように、本実施の形態に係る照明装置２０は、外部から供給される電力で発光する主光源２４と、主光源２４の点灯状態を記憶する点灯状態記憶部２７と、外部から供給される電力を蓄積する蓄電回路２３と、蓄電回路２３からの電力で発光する補助光源２５と、停電を検知する停電検知部２１と、停電検知部２１で停電が検知された場合に、補助光源２５を点灯させる補助光源制御部２６とを備える。補助光源制御部２６は、停電検知部２１で停電が検知された場合、点灯状態記憶部２７に記憶されている点灯状態に応じて、補助光源２５の明るさ（補助光源２５に供給する電流値）を切り替える。
【００９２】
具体的には、主光源２４の点灯状態は、当該主光源２４の明るさであり、補助光源制御部２６は、停電検知部２１で停電が検知された場合において、主光源２４の明るさが第１の明るさである場合、補助光源２５を第２の明るさで点灯し、主光源２４の明るさが第１の明るさより明るい第３の明るさである場合、補助光源２５を第２の明るさより暗い第４の明るさで点灯する。
【００９３】
これにより、停電直前の状態に応じてユーザの暗順応の度合いが異なることを抑制できる。
【００９４】
なお、上記説明では、暗順応を進めるために、停電直前の状態が明るいほど補助光源２５が暗く設定される例を述べたが、暗順応の度合いに応じて、補助光源２５の明るさが変更されてもよい。具体的には、暗順応がなされている場合には、ユーザは、より暗い状態でも周りの状態を把握できる。よって、照明装置２０は、暗順応の度合いが高いほど、補助光源２５を暗くしてもよい。例えば、照明装置２０は、主光源２４の点灯状態に応じて、補助光源２５が点灯されるタイミングを切り替えない場合において、主光源２４が消灯状態の場合の補助光源２５の明るさを、主光源２４が点灯状態の場合の補助光源２５の明るさより暗く設定してもよい。つまり、照明装置２０は、主光源２４が暗いほど補助光源２５を暗く設定してもよい。
【００９５】
（実施の形態５）
本実施の形態では、上記実施の形態１の変形例について説明する。本実施の形態に係る照明装置２０Ａは、停電時に周囲が明るい場合には、補助光源２５を点灯しない。
【００９６】
図１５は、本実施の形態に係る照明装置２０Ａの構成を示すブロック図である。図１５に示す照明装置２０Ａは、図２に示す照明装置２０に対して、さらに、照度センサ３４を備える。また、補助光源制御部２６Ａが補助光源制御部２６と異なる。
【００９７】
照度センサ３４は、照明装置２０の周囲の明るさを検知する。
【００９８】
補助光源制御部２６Ａは、補助光源制御部２６の機能に加え、周囲が明るい場合には、停電が検知されたとしても補助光源２５を点灯しない機能を有する。
【００９９】
図１６は、本実施の形態に係る照明装置２０Ａの動作を示すフローチャートである。なお、図１６に示す処理は、実施の形態１で説明した図６に示す処理に対して、ステップＳ５０が追加されている点のみが異なる。
【０１００】
具体的には、補助光源制御部２６Ａは、停電検知部２１で停電が検知されると（Ｓ１０でＹｅｓ）、照度センサ３４で検知されている明るさ（照度）が予め定められた閾値以上であるか否かを判定する（Ｓ５０）。明るさ閾値以上の場合（Ｓ５０でＹｅｓ）、補助光源制御部２６Ａは、補助光源２５を点灯しない。
【０１０１】
また、明るさが閾値未満の場合には（Ｓ５０でＮｏ）、実施の形態１と同様の処理が行われる（Ｓ１１〜Ｓ１３）。
【０１０２】
なお、ここでは、実施の形態１に処理に対して、さらに、照度センサ３４を用いた処理が加えられた場合を説明したが、他の実施の形態、又はそれらの変形例の処理に対して、同様に、照度センサ３４を用いた処理が加えられてもよい。
【０１０３】
以上により、本実施の形態に係る照明装置２０Ａは、明るさを検知する照度センサ３４を備え、補助光源制御部２６は、照度センサ３４により予め定められた明るさ以上の明るさが検知されている場合、停電検知部２１で停電が検知された場合であっても、補助光源２５を点灯しない。
【０１０４】
これにより、周囲が明るい場合には、不必要に補助光源２５が点灯されることを防止できる。
【０１０５】
以上、実施の形態１〜５で説明したように、照明装置２０又は２０Ａは、外部から供給される電力で発光する主光源２４と、主光源２４の点灯状態を記憶する点灯状態記憶部２７と、外部から供給される電力を蓄積する蓄電回路２３と、蓄電回路２３からの電力で発光する補助光源２５と、停電を検知する停電検知部２１と、停電検知部２１で停電が検知された場合に、補助光源２５を点灯させる補助光源制御部２６又は２６Ａとを備える。補助光源制御部２６又は２６Ａは、停電検知部２１で停電が検知された場合、点灯状態記憶部２７に記憶されている点灯状態に応じて、（１）停電発生から補助光源２５を点灯するまでの時間、又は、（２）補助光源２５の明るさ、を決定する。
【０１０６】
これにより、照明装置２０及び２０Ａは、ユーザの暗順応を促すことができる。よって、停電時に、ユーザは、周囲の状況をより把握できる。または、暗順応の効果を考慮して補助光源２５の明るさを抑えることができるので、停電時に、より長い時間ユーザに明かりを提供できる。
【０１０７】
以上、本発明の実施の形態に係る照明装置について、実施の形態に基づいて説明したが、本発明は、これらの実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１０８】
例えば、上記実施の形態では、蓄電回路２３は、電解コンデンサで構成されたが、二次電池であってもよい。
【０１０９】
また、上記実施の形態では、補助光源２５は、蓄電回路２３からの電力で発光したが、照明装置２０に内蔵される電池等のバッテリーからの電力で発光してもよい。
【０１１０】
また、上記実施の形態では、主光源２４及び補助光源２５は、ＬＥＤ等であったが、有機ＥＬ（Ｅｌｅｃｔｒｏ−Ｌｉｍｉｎｅｓｃｅｎｃｅ）素子であってもよい。
【０１１１】
また、上記実施の形態に係る照明装置又は照明システムに含まれる複数の処理部の少なくとも一部は、集積回路であるＬＳＩとして実現されてもよい。これらは個別に１チップ化されてもよいし、一部又は全てを含むように１チップ化されてもよい。
【０１１２】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１１３】
また、上記各実施の形態において、複数の構成要素の一部又は全ては、専用のハードウェアで構成されるか、各構成要素に適したソフトウェアプログラムを実行することによって実現されてもよい。各構成要素は、ＣＰＵまたはプロセッサなどのプログラム実行部が、ハードディスク又は半導体メモリなどの記録媒体に記録されたソフトウェアプログラムを読み出して実行することによって実現されてもよい。
【０１１４】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１１５】
また、上記処理に含まれるステップが実行される順序は、本発明を具体的に説明するために例示するためのものであり、上記以外の順序であってもよい。また、上記ステップの一部が、他のステップと同時（並列）に実行されてもよい。
【符号の説明】
【０１１６】
１１  商用交流電源
２０、２０Ａ  照明装置
２１  停電検知部
２２  電源回路
２３  蓄電回路
２４  主光源
２５  補助光源
２６、２６Ａ  補助光源制御部
２６ａ  制御部
２６ｂ、２６ｃ  駆動回路
２７  点灯状態記憶部
２８  リモコン受信部
２９  操作ボタン
３０  リモコン
３２  常夜灯
３３  主光源制御部
３４  照度センサ
【図１】
2015103286.tif 000003
【図２】
2015103286.tif 000004
【図３】
2015103286.tif 000005
【図４Ａ】
2015103286.tif 000006
【図４Ｂ】
2015103286.tif 000007
【図５】
2015103286.tif 000008
【図６】
2015103286.tif 000009
【図７】
2015103286.tif 000010
【図８】
2015103286.tif 000011
【図９】
2015103286.tif 000012
【図１０Ａ】
2015103286.tif 000013
【図１０Ｂ】
2015103286.tif 000014
【図１１】
2015103286.tif 000015
【図１２Ａ】
2015103286.tif 000016
【図１２Ｂ】
2015103286.tif 000017
【図１３】
2015103286.tif 000018
【図１４Ａ】
2015103286.tif 000019
【図１４Ｂ】
2015103286.tif 000020
【図１５】
2015103286.tif 000021
【図１６】
2015103286.tif 000022